【手続補正書】
【提出日】令和1年8月22日(2019.8.22)
【手続補正１】
【補正対象書類名】明細書
【補正対象項目名】００５１
【補正方法】変更
【補正の内容】
【００５１】
非イオン界面活性剤は他のものより変性作用が少ないため、タンパク質間相互作用を保持しながら膜タンパク質および脂質を可溶化するのに有用である。非イオン界面活性剤には、ポリエーテル系非イオン界面活性剤、ポリヒドロキシル系非イオン界面活性剤およびバイオ界面活性剤がある。非イオン界面活性剤としては、アルコールエトキシラート、アルキルフェノールエトキシラート、フェノールエトキシラート、アミドエトキシラート、グリセリドエトキシラート、脂肪酸エトキシラートおよび脂肪アミンエトキシラートが挙げられる。本明細書に開示される非イオン界面活性剤は、一般式Ｈ（ＯＣＨ２ＣＨ２）ｘＯＣ６Ｈ４Ｒ１、Ｈ（ＯＣＨ２ＣＨ２）ｘＯＲ２またはＨ（ＯＣＨ２ＣＨ２）ｘＯＣ（Ｏ）Ｒ２を有し得るものであり、式中、ｘはアルキルフェノールおよび／または脂肪アルコールもしくは脂肪酸に付加したエチレンオキシドのモル数を表し、Ｒ１は長鎖アルキル基を表し、Ｒ２は長鎖脂肪族基を表す。この実施形態の諸態様では、Ｒ１がＣ７〜Ｃ１０アルキル基であり、かつ／またはＲ２がＣ１２〜Ｃ２０脂肪族基である。その他の有用な非イオン界面活性剤としては、特に限定されないが、ＳＴＥＰＯＳＯＬ（登録商標）ＭＥＴ−１０Ｕ、メタセシスによって得られ不飽和短鎖アミドである非イオン界面活性剤を含めたバイオ非イオン界面活性剤が挙げられる。このようなバイオ界面活性剤は合成分子ではなく、植物などの有機物に由来する非イオン性のバイオ界面活性剤である。
【手続補正２】
【補正対象書類名】特許請求の範囲
【補正対象項目名】全文
【補正方法】変更
【補正の内容】
【特許請求の範囲】
【請求項１】
パルプから繊維を分離するための方法であって、
前記方法は、パルプ化および／または紙生産の段階で前記パルプに有効量の製紙用添加剤組成物を適用することを含み、前記適用により、前記パルプ中に存在する原材料からのセルロース繊維の分離が促進され、
前記製紙用添加剤組成物は、処理済み発酵微生物上清と１種以上の非イオン界面活性剤とを含み、活性酵素を含まず、５．０未満のｐＨを有する、
方法。
【請求項２】
パルプおよび／または紙原料から１種以上の不純物および／または１種以上の混入物を除去する方法であって、
前記方法は、パルプ化および／または紙生産の段階で前記パルプに有効量の製紙用添加剤組成物を適用することを含み、前記適用により、前記パルプおよび／または紙原料から前記１種以上の不純物および／または前記１種以上の混入物が除去され、
前記製紙用添加剤組成物は、処理済み発酵微生物上清と１種以上の非イオン界面活性剤とを含み、活性酵素を含まず、５．０未満のｐＨを有する、
方法。
【請求項３】
パルプおよび／または紙原料からインクを除去する方法であって、
前記方法は、パルプ化および／または紙生産の段階で前記パルプに有効量の製紙用添加剤組成物を適用することを含み、前記適用により、前記パルプおよび／または紙原料から前記インクが除去され、
前記製紙用添加剤組成物は、処理済み発酵微生物上清と１種以上の非イオン界面活性剤とを含み、活性酵素を含まず、５．０未満のｐＨを有する、
方法。
【請求項４】
前記処理済み発酵微生物上清が、発酵酵母上清、発酵細菌上清、発酵カビ上清またはその任意の組合せに由来するものである、請求項１〜３のいずれか１項に記載の方法。
【請求項５】
前記発酵酵母上清が、ブレタノミセス属（Ｂｒｅｔｔａｎｏｍｙｃｅｓ）、カンジダ属（Ｃａｎｄｉｄａ）、シバーリンドネラ属（Ｃｙｂｅｒｌｉｎｄｎｅｒａ）、シストフィロバシディウム属（Ｃｙｓｔｏｆｉｌｏｂａｓｉｄｉｕｍ）、デバリオミセス属（Ｄｅｂａｒｙｏｍｙｃｅｓ）、デッケラ属（Ｄｅｋｋｅｒａ）、フサリウム属（Ｆｕｓａｒｉｕｍ）、ゲオトリクム属（Ｇｅｏｔｒｉｃｈｕｍ）、イサチェンキア属（Ｉｓｓａｔｃｈｅｎｋｉａ）、カザクスタニア属（Ｋａｚａｃｈｓｔａｎｉａ）、クロエケラ属（Ｋｌｏｅｃｋｅｒａ）、クリベロミセス属（Ｋｌｕｙｖｅｒｏｍｙｃｅｓ）、レカニシリウム属（Ｌｅｃａｎｉｃｉｌｌｉｕｍ）、ムコール属（Ｍｕｃｏｒ）、ニューロスポラ属（Ｎｅｕｒｏｓｐｏｒａ）、ペディオコッカス属（Ｐｅｄｉｏｃｏｃｃｕｓ）、ペニシリウム属（Ｐｅｎｉｃｉｌｌｉｕｍ）、ピキア属（Ｐｉｃｈｉａ）、リゾプス属（Ｒｈｉｚｏｐｕｓ）、ロドスポリディウム属（Ｒｈｏｄｏｓｐｏｒｉｄｉｕｍ）、ロドトルラ属（Ｒｈｏｄｏｔｏｒｕｌａ）、サッカロミセス属（Ｓａｃｃｈａｒｏｍｙｃｅｓ）、シゾサッカロミセス属（Ｓｃｈｉｚｏｓａｃｃｈａｒｏｍｙｃｅｓ）、トリコスポロン属（Ｔｈｒｉｃｈｏｓｐｏｒｏｎ）、トルラスポラ属（Ｔｏｒｕｌａｓｐｏｒａ）、トルロプシス属（Ｔｏｒｕｌｏｐｓｉｓ）、バーティシリウム属（Ｖｅｒｔｉｃｉｌｌｉｕｍ）、ヤロウイア属（Ｙａｒｒｏｗｉａ）、ジゴサッカロミセス属（Ｚｙｇｏｓａｃｃｈａｒｏｍｙｃｅｓ）またはジゴトルラスポラ属（Ｚｙｇｏｔｏｒｕｌａｓｐｏｒａ）に属する酵母種から得られるものである、請求項４に記載の方法。
【請求項６】
前記発酵酵母上清が酵母サッカロミセス・セレビシエ（Ｓａｃｃｈａｒｏｍｙｃｅｓ  ｃｅｒｅｖｉｓｉａｅ）から得られるものである、請求項５に記載の方法。
【請求項７】
前記製紙用添加剤組成物は、約５重量％〜約９５重量％の処理済み発酵微生物上清を含む、請求項１〜６のいずれか１項に記載の方法。
【請求項８】
前記製紙用添加剤組成物は、前記処理済み発酵微生物上清を少なくとも３５重量％含む、請求項１〜７のいずれか１項に記載の方法。
【請求項９】
前記製紙用添加剤組成物は、前記処理済み発酵微生物上清を最大５０重量％含む、請求項１〜８のいずれか１項に記載の方法。
【請求項１０】
前記非イオン界面活性剤が、ポリエーテル系非イオン界面活性剤、ポリヒドロキシル系非イオン界面活性剤および／またはバイオ界面活性剤を含む、請求項１〜９のいずれか１項に記載の方法。
【請求項１１】
前記ポリヒドロキシル系非イオン界面活性剤が、スクロースエステル、エトキシ化スクロースエステル、ソルビタールエステル、エトキシ化ソルビタールエステル、アルキルグルコシド、エトキシ化アルキルグルコシド、ポリグリセロールエステルまたはエトキシ化ポリグリセロールエステルを含む、請求項１０に記載の方法。
【請求項１２】
前記非イオン界面活性剤が、アミンオキシド、エトキシ化アルコール、エトキシ化脂肪族アルコール、アルキルアミン、エトキシ化アルキルアミン、エトキシ化アルキルフェノール、アルキルポリサッカライド、エトキシ化アルキルポリサッカライド、エトキシ化脂肪酸、エトキシ化脂肪アルコールまたはエトキシ化脂肪アミン、あるいは一般式Ｈ（ＯＣＨ２ＣＨ２）ｘＯＣ６Ｈ４Ｒ１、Ｈ（ＯＣＨ２ＣＨ２）ｘＯＲ２またはＨ（ＯＣＨ２ＣＨ２）ｘＯＣ（Ｏ）Ｒ２を有する非イオン界面活性剤であって、式中、ｘが、アルキルフェノールおよび／または脂肪アルコールもしくは脂肪酸に付加されたエチレンオキシドのモル数を表し、Ｒ１が長鎖アルキル基を表し、Ｒ２が長鎖脂肪族基を表す非イオン界面活性剤、を含む、請求項１〜１１のいずれか１項に記載の方法。
【請求項１３】
Ｒ１がＣ７〜Ｃ１０ノルマルアルキル基である、および／またはＲ２がＣ１２〜Ｃ２０脂肪族基である、請求項１２に記載の方法。
【請求項１４】
前記非イオン界面活性剤が、エトキシ化ノニルフェノール、エトキシ化オクチルフェノール、エトキシ化セト−オレイルアルコール、エトキシ化セト−ステアリルアルコール、エトキシ化デシルアルコール、エトキシ化ドデシルアルコール、エトキシ化トリデシルアルコールまたはエトキシ化ヒマシ油である、請求項１〜１３のいずれか１項に記載の方法。
【請求項１５】
前記製紙用添加剤組成物は、前記１種以上の非イオン界面活性剤を約１重量％〜約１５重量％含む、請求項１〜１４のいずれか１項に記載の方法。
【請求項１６】
前記製紙用添加剤組成物は、前記１種以上の非イオン界面活性剤を約５重量％〜約１３重量％含む、請求項１５に記載の方法。
【請求項１７】
前記製紙用添加剤組成物は、前記１種以上の非イオン界面活性剤を約７重量％〜約１１重量％含む、請求項１６に記載の方法。
【請求項１８】
前記製紙用添加剤組成物は、１種以上の陰イオン界面活性剤をさらに含む、請求項１〜１７のいずれか１項に記載の方法。
【請求項１９】
前記製紙用添加剤組成物は、前記１種以上の陰イオン界面活性剤を約０．５重量％〜約１０重量％含む、請求項１８に記載の方法。
【請求項２０】
前記製紙用添加剤組成物は、前記１種以上の陰イオン界面活性剤を約１重量％〜約８重量％含む、請求項１９に記載の方法。
【請求項２１】
前記製紙用添加剤組成物は、前記１種以上の陰イオン界面活性剤を約２重量％〜約６重量％含む、請求項２０に記載の方法。
【請求項２２】
前記ｐＨが最大４．５である、請求項１〜２１のいずれか１項に記載の方法。
【請求項２３】
前記ｐＨが約３．７〜約４．２である、請求項２２に記載の方法。
【請求項２４】
前記製紙用添加剤組成物は、抗菌剤をさらに含む、請求項１〜２３のいずれか１項に記載の方法。
【請求項２５】
前記製紙用添加剤組成物は、ヒト、哺乳動物、植物および環境に対して実質的に無毒性である成分のみで構成されている、請求項１〜２４のいずれか１項に記載の方法。
【請求項２６】
前記製紙用添加剤組成物は、生分解性である成分のみで構成されている、請求項１〜２５のいずれか１項に記載の方法。
【請求項２７】
前記パルプに対する前記製紙用添加剤組成物の適用により、気体の物質移動を亢進し且つ化合物の生体触媒作用を促進する高反応性の殻を有するマイクロバブルが複数形成される、請求項１〜２６のいずれか１項に記載の方法。